(57)【要約】      （修正有）【課題】簡易な構成で押え金具の後退時における締付ねじ部材からの脱落を防止することができる仮設足場用手摺フレームの固定金具を提供する。【解決手段】手摺フレームの脚部先端が差込固定される差込筒部１６を備え、一側に足場板５の側端部が挿入可能な側部開口１５を有する、下板部１２、側板部１３及び上板部１４からなる本体部材１１と、該本体部材１１の上板部１４に形成された貫通孔１４Ａを貫通する内ねじ部２２が刻設されたねじ受け部材２０と、該ねじ受け部材２０の内ねじ部２２に螺着する外ねじ部３２を有するねじ部材であって、ねじ部材先端の金具保持部３３には足場板５を押圧する押え金具４０が取り付け保持されているとともに、外ねじ部３２と金具保持部３３との間のねじ部材には外ねじ部３２より小径な無ねじ部３４が形成されている締付ねじ部材３０とを有する。【選択図】図３
0003168635.tif 000002
【実用新案登録請求の範囲】
【請求項１】
手摺フレームの脚部先端が差込固定される差込筒部を備え、一側に足場板の側端部が挿入可能な側部開口を有する、下板部、側板部及び上板部からなる本体部材と、
前記本体部材の前記上板部に形成された貫通孔を貫通する内ねじ部が刻設されたねじ受け部材と、
前記ねじ受け部材の内ねじ部に螺着する外ねじ部を有するねじ部材であって、ねじ部材先端の金具保持部には前記足場板を押圧する押え金具が取り付け保持されているとともに、前記外ねじ部と前記金具保持部との間のねじ部材には前記外ねじ部より小径な無ねじ部が形成されている締付ねじ部材
とを有することを特徴とする仮設足場用手摺フレームの固定金具。
【請求項２】
前記本体部材の前記下板部に前記足場板側端部の筒部に係着する下鍔部が突設されているとともに、前記押え金具に前記足場板側端部の筒部に係着する上鍔部が突設されている請求項１に記載の仮設足場用手摺の固定金具。
【考案の詳細な説明】
【技術分野】
【０００１】
本考案は、仮設足場用手摺フレームを足場板に固定するための仮設足場用手摺フレームの固定金具に関する。
【背景技術】
【０００２】
一般に、建築物等の工事等を行う際には、その外周に仮設足場が設置されるものであって、複数本の支柱を所定間隔で配置し、前記各支柱間に足場板を架設させて一の階層の足場を形成し、上方に支柱を順次継ぎ足して同様に足場板を架設させることにより複数階層の足場を形成してなる。このような仮設足場にあっては、作業時の安全対策として、足場板に金属パイプ等からなる倒コ字状の仮設足場用手摺フレームが取り付けられる。
【０００３】
従来、仮設足場用手摺フレームは、図５，６に示すように、足場板１５０の側端部が挿入可能な側部開口１１５を有する固定金具１００を介して固定される。（例えば、特許文献１参照）。この固定金具１００は、下板部１１２、側板部１１３及び上板部１１４からなる本体部材１１１を備え、上板部１１４には、手摺フレームの脚部先端が差込固定される差込筒部１１６が立設されるとともに、ねじ受け部材１２０を介して締付ねじ部材１３０が配設され、上板部１１４の裏側に突出するように締付ねじ部材１３０先端に足場板１５０を押圧する押え金具１４０が取り付け保持されている。そして、締付ねじ部材１３０を回動させることにより押え金具１４０が進退されて、足場板１５０への固定または固定解除するように構成される。
【０００４】
この固定金具１００では、締付ねじ部材１３０の先端１３３が押え金具１４０の貫通孔１４１を貫通するとともに、前記先端１３３を押しつぶして押え金具１４０の貫通孔１４１より大径の突出部１３３Ａを形成することにより、押え金具１４０が脱落しないように保持している。しかしながら、従来の固定金具１００にあっては、締付ねじ部材１３０にねじ頭部１３５から先端に亘ってねじ受け部材１２０の内ねじ部１２２に螺着する外ねじ部１３２が形成されていることにより、足場板１５０の固定解除時に締付ねじ部材１３０を回動させて押え金具１４０を後退させた場合に、押え金具１４０が本体部材１１１の上板部１１４に当接した状態でも、さらに締付ねじ部材１３０を後退側に回動させることができてしまう。そのため、締付ねじ部材１３０を誤って必要以上に回動させると、締付ねじ部材１３０が上板部１１４に当接した押え金具１４０を保持したまま後退側に押し上げられ、締付ねじ部材１３０の先端１３３（１３３Ａ）に過剰に力が加わって破損することにより、押え金具１４０が脱落する恐れがあった。
【先行技術文献】
【特許文献】
【０００５】
【特許文献１】特開２００３−１２９６５３号公報
【考案の概要】
【考案が解決しようとする課題】
【０００６】
本考案は前記の点に鑑みなされたものであり、簡易な構成で押え金具の後退時における締付ねじ部材からの脱落を防止することができる仮設足場用手摺フレームの固定金具を提供するものである。
【課題を解決するための手段】
【０００７】
すなわち、請求項１の考案は、手摺フレームの脚部先端が差込固定される差込筒部を備え、一側に足場板の側端部が挿入可能な側部開口を有する、下板部、側板部及び上板部からなる本体部材と、前記本体部材の前記上板部に形成された貫通孔を貫通する内ねじ部が刻設されたねじ受け部材と、前記ねじ受け部材の内ねじ部に螺着する外ねじ部を有するねじ部材であって、ねじ部材先端の金具保持部には前記足場板を押圧する押え金具が取り付け保持されているとともに、前記外ねじ部と前記金具保持部との間のねじ部材には前記外ねじ部より小径な無ねじ部が形成されている締付ねじ部材とを有することを特徴とする仮設足場用手摺フレームの固定金具に係る。
【０００８】
請求項２の考案は、前記本体部材の前記下板部に前記足場板側端部の筒部に係着する下鍔部が突設されているとともに、前記押え金具に前記足場板側端部の筒部に係着する上鍔部が突設されている請求項１に記載の仮設足場用手摺の固定金具に係る。
【考案の効果】
【０００９】
請求項１の考案に係る仮設足場用手摺の固定金具は、手摺フレームの脚部先端が差込固定される差込筒部を備え、一側に足場板の側端部が挿入可能な側部開口を有する、下板部、側板部及び上板部からなる本体部材と、前記本体部材の前記上板部に形成された貫通孔を貫通する内ねじ部が刻設されたねじ受け部材と、前記ねじ受け部材の内ねじ部に螺着する外ねじ部を有するねじ部材であって、ねじ部材先端の金具保持部には前記足場板を押圧する押え金具が取り付け保持されているとともに、前記外ねじ部と前記金具保持部との間のねじ部材には前記外ねじ部より小径な無ねじ部が形成されている締付ねじ部材とを有するため、極めて簡易な構成で押え金具の後退時における締付ねじ部材からの脱落を防止することができる。
【００１０】
請求項２の考案は、請求項１において、前記本体部材の前記下板部に前記足場板側端部の筒部に係着する下鍔部が突設されているとともに、前記押え金具に前記足場板側端部の筒部に係着する上鍔部が突設されているため、足場板に対して確実に固定することができる。
【図面の簡単な説明】
【００１１】
【図１】仮設足場用手摺フレームの足場板への取り付け状態を表した斜視図である。
【図２】本考案の一実施例に係る固定金具の足場板への固定状態を表した要部断面図である。
【図３】図１の固定金具の押え金具の後退状態を表した要部断面図である。
【図４】締付ねじ部材の側面図である。
【図５】従来の固定金具の足場板への固定状態を表した要部断面図である。
【図６】従来の固定金具の押え金具の後退状態を表した要部断面図である。
【考案を実施するための形態】
【００１２】
図１〜図３に示す本考案の一実施例に係る仮設足場用手摺フレーム１の固定金具１０は、本体部材１１と、ねじ受け部材２０と、締付ねじ部材３０とを有する。実施例において、手摺フレーム１は、倒コ字状に形成された金属製のパイプからなり、両脚部２，２に固定金具１０が取り付けられる。図１において、符号５は足場板、６は足場板本体、７は足場板本体６より板厚に形成された側端部を構成する筒部である。
【００１３】
本体部材１１は、図２，３に示すように、手摺フレーム１の脚部２先端が差込固定される差込筒部１６を備え、一側に足場板５の側端部が挿入可能な側部開口１５を有する、下板部１２、側板部１３及び上板部１４からなる。実施例の本体部材１１は、下板部１２、側板部１３及び上板部１４により側面視略コ字状に形成される。また、本体部材１１の下板部１２には、足場板５側端部の筒部７に係着する下鍔部１２Ａが突設されている。なお、図中の符号１４Ａは上板部１４に形成された貫通孔である。
【００１４】
ねじ受け部材２０は、図２，３に示すように、本体部材１１の上板部１４に形成された貫通孔１４Ａを貫通する内ねじ部２２が刻設されている。このねじ受け部材２０は、溝付き六角ナット等の公知のナット部材からなり、上板部１４に溶接等により固設される。
【００１５】
締付ねじ部材３０は、図２〜図４に示すように、ねじ受け部材２０の内ねじ部２２に螺着する外ねじ部３２を有するねじ部材３１である。この締付ねじ部材３０では、ねじ部材３１先端の金具保持部３３に足場板５を押圧する押え金具４０が取り付け保持されているとともに、外ねじ部３２と金具保持部３３との間のねじ部材３１には外ねじ部３２より小径な無ねじ部３４が形成されている。締付ねじ部材３０の金具保持部３３は、押え金具４０に形成された貫通孔４１にねじ部材３１先端を貫通させてその先端を押しつぶして押え金具４０の貫通孔４１より大径の突出部３３Ａとして形成されている。また、締付ねじ部材３０の無ねじ部３４は、ねじ受け部材２０の内ねじ部２２と螺着不能な部分であって、少なくとも本体部材１１の上板部１４及びねじ受け部２０の厚みより長く形成される。なお、図において、符号３５は締付ねじ部材３０を回動するためのねじ頭部である。
【００１６】
押え金具４０は、図２，３に示すように、本体部材１１の下板部１２に対面するように締付ねじ部材３０の金具保持部３３により下板部１２側へ進退可能に保持された板状部材である。この押え金具４０には、足場板５側端部の筒部７に係着する上鍔部４２が突設されている。
【００１７】
次に、本考案の固定金具１０による手摺フレーム１の固定状態と、押え金具４０の後退状態（手摺フレーム１の固定解除状態）について具体的に説明する。図２に示す足場板５の固定状態では、本体部材１１の側部開口１５に足場板５の側端部の筒部７を挿入し、ねじ受け部材２０の内ねじ部２２に締付ねじ部材３０の外ねじ部３２を螺着させて締付ねじ部材３０を前進（下板部１２側）方向に回動させることにより、締付ねじ部材３０の金具保持部３３に保持された押え金具４０が前進されて足場板５の筒部７を押圧して固定する。その際、本体部材１１の下板部１２に形成された下鍔部１２Ａと押え金具４０に形成された上鍔部４２が、足場板５の筒部７に上下から係着するため、足場板５に対して確実に固定することができる。
【００１８】
また、図３に示す押え金具４０の後退状態では、締付ねじ部材３０を後退（上板部１４側）方向に回動させることにより、締付ねじ部材３０の金具保持部３３に保持された押え金具４０が後退されて足場板５の筒部７に対する固定が解除される。ここで、締付ねじ部材３０の外ねじ部３２と金具保持部３３との間のねじ部材３１にねじ受け部材２０の内ねじ部２２と螺着不能な無ねじ部３４が形成されていることにより、固定解除後にさらに締付ねじ部材３０を後退方向に回動させ続けると、後退する押え金具４０が上板部１４に当接する前にねじ受け部材２０の内ねじ部２２と締付ねじ部材３０の外ねじ部３２との螺着が解除される。そのため、締付ねじ部材３０及びそれに保持された押え金具４０が必要以上に後退することがなく、従来のように後退させすぎて金具保持部３３を破損させる恐れがない。
【００１９】
以上図示し説明したように、本考案の固定金具では、締付ねじ部材の外ねじ部と金具保持部との間のねじ部材に外ねじ部より小径な無ねじ部を形成するという極めて簡易な構成により、固定解除時に締付ねじ部材及びそれに保持された押え金具が必要以上に後退することを容易に防止することができる。従って、締付ねじ部材による押え金具の後退時に該押え金具の締付ねじ部材からの脱落を防止することができる。
【００２０】
なお、本考案の仮設足場用手摺フレームの固定金具は、前述の実施例のみに限定されるものではなく、考案の趣旨を逸脱しない範囲において構成の一部を適宜に変更して実施することができる。例えば、実施例の金具保持部では、ねじ部材先端を押しつぶして押え金具の貫通孔より大径の突出部を形成するように構成したが、溶接等によって押え金具を保持するようにしてもよい。
【符号の説明】
【００２１】
１      仮設足場用手摺フレーム
２      脚部
５      足場板
７      筒部
１０    固定金具
１１    本体部材
１２    下板部
１３    側板部
１４    上板部
１５    側部開口
１６    差込筒部
２０    ねじ受け部材
２２    内ねじ部
３０    締付ねじ部材
３１    ねじ部材
３２    外ねじ部
３３    金具保持部
３４    無ねじ部
４０    押え金具
【図１】
0003168635.tif 000003
【図２】
0003168635.tif 000004
【図３】
0003168635.tif 000005
【図４】
0003168635.tif 000006
【図５】
0003168635.tif 000007
【図６】
0003168635.tif 000008
【手続補正書】
【提出日】平成23年4月7日(2011.4.7)
【手続補正１】
【補正対象書類名】実用新案登録請求の範囲
【補正対象項目名】全文
【補正方法】変更
【補正の内容】
【実用新案登録請求の範囲】
【請求項１】
手摺フレームの脚部先端が差込固定される差込筒部を備え、一側に足場板の側端部が挿入可能な側部開口を有する、下板部、側板部及び上板部からなる本体部材と、
前記本体部材の前記上板部に形成された貫通孔を貫通する内ねじ部が刻設されたねじ受け部材と、
前記ねじ受け部材の内ねじ部に螺着する外ねじ部を有するねじ部材であって、ねじ部材先端の金具保持部には前記足場板を押圧する押え金具が取り付け保持されているとともに、前記外ねじ部と前記金具保持部との間のねじ部材には前記外ねじ部より小径な無ねじ部が形成されている締付ねじ部材
とを有することを特徴とする仮設足場用手摺フレームの固定金具。
【請求項２】
前記本体部材の前記下板部に前記足場板側端部の筒部に係着する下鍔部が突設されているとともに、前記押え金具に前記足場板側端部の筒部に係着する上鍔部が突設されている請求項１に記載の仮設足場用手摺フレームの固定金具。
【手続補正２】
【補正対象書類名】明細書
【補正対象項目名】０００８
【補正方法】変更
【補正の内容】
【０００８】
請求項２の考案は、前記本体部材の前記下板部に前記足場板側端部の筒部に係着する下鍔部が突設されているとともに、前記押え金具に前記足場板側端部の筒部に係着する上鍔部が突設されている請求項１に記載の仮設足場用手摺フレームの固定金具に係る。